(57)【特許請求の範囲】
【請求項１】
少なくとも１つの保管場所に収納される資料を管理する資料管理システムにおいて、
前記資料の外部から接触可能な面に貼付され、かつ、２つの面アンテナを具備し、該２つの面アンテナと近接するアンテナとの間にて静電誘導が生じることにより情報の読み取り及び書き込みが行われる非接触型ＩＣラベルと、
前記２つの面アンテナ及び前記アンテナを介して前記非接触型ＩＣラベルに対する情報の読み取り及び書き込みを行う情報読取／書込手段と、
前記情報読取／書込手段にて前記非接触型ＩＣラベルがら読み取られた情報に基づいて前記資料を管理する管理手段とを有し、
前記アンテナは、前記保管場所内において、前記資料が当該保管場所に収納された状態にて前記２つの面アンテナのうち一方の面アンテナが接地された場合のみに前記非接触型ＩＣラベルに対する情報の読み取り及び書き込みが可能となる位置に設けられていることを特徴とする資料管理システム。
【請求項２】
請求項１に記載の資料管理システムにおいて、
前記非接触型ＩＣラベルには、貼付される資料を識別可能な情報が書き込まれていることを特徴とする資料管理システム。
【請求項３】
請求項２に記載の資料管理システムにおいて、
前記情報読取／書込手段は、前記非接触型ＩＣラベルに書き込まれた情報を前記アンテナを介して読み取る際に当該アンテナによって前記情報が読み取られる資料が収納される保管場所を識別することを特徴とする資料管理システム。
【請求項４】
請求項２に記載の資料管理システムにおいて、
前記情報読取／書込手段は、前記非接触型ＩＣラベルに書き込まれた情報を前記アンテナを介して読み取った際に、当該非接触型ＩＣラベルに所定の情報を書き込むことを特徴とする資料管理システム。
【請求項５】
請求項４に記載の資料管理システムにおいて、
前記所定の情報は、前記非接触型ＩＣラベルに書き込まれた情報が前記アンテナを介して前記情報読取／書込手段にて読み取られた日時であることを特徴とする資料管理システム。
【請求項６】
請求項４に記載の資料管理システムにおいて、
前記所定の情報は、前記資料が前記保管場所から持ち出される際に予め入力される、前記資料を前記保管場所から持ち出す利用者を識別可能な情報であることを特徴とする資料管理システム。
【請求項７】
請求項２に記載の資料管理システムにおいて、
前記保管場所に接地状態で設けられ、当該保管場所に収納される資料に貼付された前記非接触型ＩＣラベルに形成された前記２つの面アンテナのうち一方の面アンテナと順次接触しながら移動可能な導電性の検知手段を有することを特徴とする資料管理システム。
【発明の詳細な説明】
【０００１】
【発明の属する技術分野】
本発明は、書籍等の資料を管理する資料管理システムに関し、特に、静電結合式の非接触型ＩＣラベルを用いた資料管理システムに関する。
【０００２】
【従来の技術】
一般的に、書籍等の資料を管理する場合、バーコードや識別番号等のような資料を管理するための識別情報を書籍等の表紙あるいは裏表紙に記載したり、あるいは、該識別情報が印字されたラベルを書籍等の表紙あるいは裏表紙に貼付したりしている。このバーコードや識別番号等の識別情報を書籍等の資料と対応づけて管理しておき、書棚等の資料の保管場所において、書籍等の資料からバーコードや識別番号等の識別情報を読み取ることにより、書籍等の資料の在庫管理を行っている。
【０００３】
以下に、上述したような資料の在庫管理方法について例を挙げて具体的に説明する。
【０００４】
図８は、従来の資料管理方法の一例を説明するためのフローチャートであり、資料を保管場所から持ち出す際及び資料を保管場所に返却する際にそれぞれその旨を管理する方法を示す。
【０００５】
資料を保管場所から持ち出す場合（ステップＳ１０１）、まず、持ち出される資料に記載あるいは貼付によって付与された識別情報を読み取る（ステップＳ１０２）。この識別情報の読み取りは、資料に付与された識別情報がバーコード情報である場合は、専用のバーコードリーダーを用いて行われ、また、資料に付与された識別情報が識別番号である場合は、管理者の目視等によって行われる。
【０００６】
ステップＳ１０２において読み取られた識別情報は、資料の在庫を管理しているホストに送られ、ホストにおいて、送られてきた識別情報によって識別される資料が持ち出されたことが管理される（ステップＳ１０３）。なお、ステップＳ１０２にて資料に付与された識別番号を管理者が目視で読み取った場合は、ホストに接続されている専用の端末等に管理者が読み取った識別番号を入力し、それにより、識別情報がホストに送られることになる。
【０００７】
これにより、ステップＳ１０２にて識別情報が読み取られた資料が持ち出し可能となる（ステップＳ１０４）。
【０００８】
その後、持ち出した資料を返却する場合は（ステップＳ１０５）、まず、返却される資料に付与された識別情報を読み取る（ステップＳ１０６）。この識別情報の読み取りは、ステップＳ１０２における識別情報の読み取りと同様に、資料に付与された識別情報がバーコード情報である場合は、専用のバーコードリーダーを用いて行われ、また、資料に付与された識別情報が識別番号である場合は、管理者の目視等によって行われる。
【０００９】
ステップＳ１０６において読み取られた識別情報は、資料の在庫を管理しているホストに送られる。ホストにおいては、送られてきた識別情報によって識別される資料が持ち出されている状態として管理されているため、識別情報が送られてくると、送られてきた識別情報によって識別される資料が返却されたことが管理される（ステップＳ１０７）。なお、ステップＳ１０６にて資料に付与された識別番号を管理者が目視で読み取った場合は、ホストに接続されている専用の端末等に管理者が読み取った識別番号を入力し、それにより、識別情報がホストに送られることになる。
【００１０】
これにより、ステップＳ１０６にて識別情報が読み取られた資料が保管場所に返却されたことになる（ステップＳ１０８）。
【００１１】
上述した資料管理方法は、資料を保管場所から持ち出す際及び資料を保管場所に返却する際にそれぞれその旨を管理するものであるが、資料を保管場所から持ち出す際及び資料を保管場所に返却する際にそれぞれその旨を管理せず、予め決められた日時あるいは期間毎に資料の在庫管理を行う場合もある。
【００１２】
その場合は、予め決められた日時あるいは期間毎に、資料に付与された識別情報を上述したような方法等により読み取り、それにより、資料の在庫管理が行われる。その場合、この読み取り処理において識別情報が読み取られた資料は保管場所に存在し、識別情報が読み取られなかった資料は保管場所から持ち出されているとして管理される。
【００１３】
また、このような資料管理は、資料に付与される識別情報を資料が保管されるべき書棚等の保管場所にそれぞれに対応させて行うこともでき、その場合、資料が保管されるべき保管場所に保管されているかどうかを管理することができる。
【００１４】
【発明が解決しようとする課題】
しかしながら、図８を用いて説明したような従来の資料管理方法においては、資料を保管場所から持ち出す際及び持ち出した資料を保管場所に返却する際に、資料に付与された識別情報を読み取る必要があるため、資料を保管場所から持ち出す度及び持ち出した資料を保管場所に返却する度毎に、資料に付与された識別情報を読み取るための手間がかかってしまうという問題点がある。識別情報がバーコード情報である場合は、バーコードリーダーを用いて識別情報を読み取らなければならず、バーコードリーダーをバーコード情報にあてがう、あるいは資料のバーコード情報が付与された面をバーコードリーダーにかざさなければならない。また、識別情報が識別番号である場合は、管理者が識別番号を読み取って端末等に入力しなければならない。
【００１５】
また、予め決められた日時あるいは期間毎に、資料に付与された識別情報を読み取り、それにより、資料の在庫管理を行うものにおいては、識別情報が資料の表紙あるいは裏表紙に記載されたり、あるいは、該識別情報が印字されたラベルが資料の表紙あるいは裏表紙に貼付されたりしている場合、資料が書棚等に保管された状態で識別情報を読み取ることができず、識別情報を読み取る度毎に資料を書棚等から出さなければならないという問題点がある。
【００１６】
また、識別情報が資料の背表紙に記載されたり、あるいは、該識別情報が印字されたラベルが資料の背表紙に貼付されたりしている場合においても、識別情報を読み取るために携帯型のバーコードリーダーを資料のそれぞれの背表紙にあてがったり、管理者が識別情報を読み取って端末等に入力したりしなければならず、そのための手間がかかってしまうという問題点がある。
【００１７】
本発明は、上述したような従来の技術が有する問題点に鑑みてなされたものであって、予め決められた保管場所に収納される資料の管理を手間をかけずに行うことができる資料管理システムを提供することを目的とする。
【００１８】
【課題を解決するための手段】
上記目的を達成するために本発明は、
少なくとも１つの保管場所に収納される資料を管理する資料管理システムにおいて、
前記資料の外部から接触可能な面に貼付され、かつ、２つの面アンテナを具備し、該２つの面アンテナと近接するアンテナとの間にて静電誘導が生じることにより情報の読み取り及び書き込みが行われる非接触型ＩＣラベルと、
前記２つの面アンテナ及び前記アンテナを介して前記非接触型ＩＣラベルに対する情報の読み取り及び書き込みを行う情報読取／書込手段と、
前記情報読取／書込手段にて前記非接触型ＩＣラベルがら読み取られた情報に基づいて前記資料を管理する管理手段とを有し、
前記アンテナは、前記保管場所内において、前記資料が当該保管場所に収納された状態にて前記２つの面アンテナのうち一方の面アンテナが接地された場合のみに前記非接触型ＩＣラベルに対する情報の読み取り及び書き込みが可能となる位置に設けられていることを特徴とする。
【００１９】
また、前記非接触型ＩＣラベルには、貼付される資料を識別可能な情報が書き込まれていることを特徴とする。
【００２０】
また、前記情報読取／書込手段は、前記非接触型ＩＣラベルに書き込まれた情報を前記アンテナを介して読み取る際に当該アンテナによって前記情報が読み取られる資料が収納される保管場所を識別することを特徴とする。
【００２１】
また、前記情報読取／書込手段は、前記非接触型ＩＣラベルに書き込まれた情報を前記アンテナを介して読み取った際に、当該非接触型ＩＣラベルに所定の情報を書き込むことを特徴とする。
【００２２】
また、前記所定の情報は、前記非接触型ＩＣラベルに書き込まれた情報が前記アンテナを介して前記情報読取／書込手段にて読み取られた日時であることを特徴とする。
【００２３】
また、前記所定の情報は、前記資料が前記保管場所から持ち出される際に予め入力される、前記資料を前記保管場所から持ち出す利用者を識別可能な情報であることを特徴とする。
【００２４】
また、前記保管場所に接地状態で設けられ、当該保管場所に収納される資料に貼付された前記非接触型ＩＣラベルに形成された前記２つの面アンテナのうち一方の面アンテナと順次接触しながら移動可能な導電性の検知手段を有することを特徴とする。
【００２５】
（作用）
上記のように構成された本発明においては、２つの面アンテナを有し、この２つの面アンテナと近接するアンテナとの間にて静電誘導が生じることにより情報の読み取り及び書き込みが行われる静電結合方式の非接触型ＩＣラベルが、所定の保管場所に収納される資料のそれぞれに貼付されている。また、この資料が収納される棚等の保管場所においては、資料が保管場所に収納された状態にて２つの面アンテナのうち一方の面アンテナが接地された場合のみに非接触型ＩＣラベルに対する情報の読み取り及び書き込みが可能となる位置に上記アンテナが設けられている。
【００２６】
非接触型ＩＣラベルは、資料の外部から接触可能な面に貼付されているため、資料を保管場所から持ち出すあるいは保管場所に収納する場合、非接触型ＩＣラベルに形成された２つの面アンテナのうち一方の面アンテナに指等で触れると、指等で触れた面アンテナが接地状態となる。
【００２７】
これにより、非接触型ＩＣラベルに書き込まれた情報が読み取られることになるため、非接触型ＩＣラベルに該非接触型ＩＣラベルが貼付される資料を識別可能な情報を書き込んでおけば、利用者が、資料を保管場所から持ち出すあるいは保管場所に収納する際に、非接触型ＩＣラベルに形成された２つの面アンテナのうち一方の面アンテナに指等で触れるだけで、その資料が保管場所から持ち出されたあるいは保管場所に収納されたことが認識される。
【００２８】
また、非接触型ＩＣラベルに書き込まれた情報を読み取る際に情報が読み取られる資料が収納される保管場所を識別可能とすれば、資料が所定の保管場所に収納されているかどうかが認識される。
【００２９】
また、非接触型ＩＣラベルに書き込まれた情報が読み取られる際に、その日時あるいは、資料を保管場所から持ち出す利用者を識別可能な情報を非接触型ＩＣラベルに書き込めば、この非接触型ＩＣラベルに書き込まれた情報を読み取ることにより、その資料の持ち出し及び返却履歴を知ることができる。
【００３０】
また、保管場所に接地状態で設けられ、当該保管場所に収納される資料に貼付された非接触型ＩＣラベルに形成された２つの面アンテナのうち一方の面アンテナと順次接触しながら移動可能な導電性の検知手段を用いれば、予め決められた日時あるいは期間毎に書籍の在庫管理を行うことができる。
【００３１】
【発明の実施の形態】
以下に、本発明の実施の形態について図面を参照して説明する。
【００３２】
図１は、本発明の資料管理システムの実施の実施の一形態を示す図であり、（ａ）は概念図、（ｂ）はブロック構成図である。
【００３３】
図１（ａ）に示すように本形態においては、資料である書籍６０が収納される保管場所である棚５０ａ，５０ｂのそれぞれに、書籍６０の背表紙に貼付され、書籍６０を識別可能な情報が書き込まれたＩＣラベル１０との間にて静電誘導を生じさせる２つのアンテナ２０ａ，２０ｂが設けられており、さらに、アンテナ２０ａ，２０ｂを介してＩＣラベル１０に対する情報の読み取り及び書き込みを行う情報読取／書込手段であるリーダ／ライタ３０と、棚５０ａ，５０ｂに収納されるべき書籍６０に関する情報を管理する管理手段であるホスト４０とが設けられている。なお、本形態においては、説明を簡単にするために書籍６０が収納される棚の数を２段とし、さらに、上段の棚５０ａには書籍６０が全面に収納され、下段の棚５０ｂには書籍６０が全く収納されていないものとする。
【００３４】
また、図１（ｂ）に示すように、リーダ／ライタ３０は、アンテナ２０ａ，２０ｂを介してＩＣラベル１０に電源及び情報を読み取るあるいは情報を書き込むための所定の周波数のクロック信号を供給する発信変調回路３１と、アンテナ２０ａを介してＩＣラベル１０に対する情報の読み取りを行う受信復調回路３２と、ホスト４０に対する情報のやりとりを行うＩ／Ｆ部３３とから構成されており、また、ホスト４０は、棚５０ａ，５０ｂに収納されるべき書籍６０に関する情報が格納された資料情報データベース４２と、資料情報データベース４２に格納された情報とリーダ／ライタ３０にてＩＣラベル１０から読み取られた情報とに基づいて棚５０ａ，５０ｂに収納される書籍６０を管理する管理部４１とから構成されている。
【００３５】
ここで、書籍６０に貼付されるＩＣラベル１０の動作原理について詳細に説明する。
【００３６】
図２は、図１に示したＩＣラベル１０の動作原理を説明するための図であり、（ａ）は構造を示す図、（ｂ）は（ａ）に示した２つの面アンテナ１２ａ，１２ｂを介して情報の読み取りあるいは書き込みが行われる場合の動作を示す図、（ｂ）は（ａ）に示した１つの面アンテナ１２ａのみを介して情報の読み取りあるいは書き込みが行われる場合の動作を示す図である。
【００３７】
図２（ａ）に示すように本形態におけるＩＣラベル１０においては、紙等のベース材１３上に所定の間隔を有して２つの面アンテナ１２ａ，１２ｂが印刷形成されており、この２つの面アンテナ１２ａ，１２ｂを跨ぐように、面アンテナ１２ａ，１２ｂを介して所定の情報の書き込み及び読み取りが可能なＩＣチップ１１が搭載されている。
【００３８】
図２（ａ）に示したようなＩＣラベル１０に対する情報の書き込みあるいは読み取りを、ＩＣラベル１０に印刷形成された２つの面アンテナ１２ａ，１２ｂを介して行う場合は、図２（ｂ）に示すように、リーダ／ライタ３０内の発信変調回路３１によって所定の電源を発生させると、リーダ／ライタ３０に接続された２つのアンテナ２０ａ，２０ｂが正の電荷と負の電荷とをそれぞれ帯びる。
【００３９】
この状態でＩＣラベル１０に印刷形成された面アンテナ１２ａ，１２ｂをアンテナ２０ａ，２０ｂに近接、対向させると、アンテナ２０ａ，２０ｂが帯びた電荷によって、面アンテナ１２ａ，１２ｂに正の電荷あるいは負の電荷が誘導される。例えば、発信変調回路３１にて発生した電源によってアンテナ２０ａが正の電荷を帯び、アンテナ２０ｂが負の電荷を帯びた場合は、アンテナ２０ａが帯びた正の電荷によって面アンテナ１２ａには負の電荷が誘導されるとともに、アンテナ２０ｂが帯びた負の電荷によって面アンテナ１２ｂには正の電荷が誘導される。また、発信変調回路３１にて発生した電源によってアンテナ２０ａが負の電荷を帯び、アンテナ２０ｂが正の電荷を帯びた場合は、アンテナ２０ａが帯びた負の電荷によって面アンテナ１２ａには正の電荷が誘導されるとともに、アンテナ２０ｂが帯びた正の電荷によって面アンテナ１２ｂには負の電荷が誘導される。
【００４０】
このように、面アンテナ１２ａ，１２ｂに電荷が誘導されることによりＩＣチップ１１内に電流が流れ、それにより、ＩＣチップ１１に対する情報の読み取りあるいは書き込みが行われることになる。
【００４１】
上述したように、本形態におけるＩＣラベル１０は、表面に印刷形成された面アンテナ１２ａ，１２ｂとリーダ／ライタ３０に接続されたアンテナ２０ａ，２０ｂとによってコンデンサを形成し、このコンデンサの動作原理を用いて内部に電流を発生させ、情報の読み取りあるいは書き込みが行われる静電結合方式の非接触型ＩＣラベルである。
【００４２】
そのため、リーダ／ライタ３０に接続されたアンテナ２０ａ，２０ｂとＩＣラベル１０に印刷形成された面アンテナ１２ａ，１２ｂとがそれぞれ対向しないように配置された場合、アンテナ２０ａ，２０ｂが正と負の電荷をそれぞれ帯びても面アンテナ１２ａ，１２ｂに誘導される電荷が安定せず、それにより、通信可能距離が短くなってしまう。
【００４３】
そこで、図２（ｃ）に示すように、ＩＣラベル１０に印刷形成された面アンテナ１２ａ，１２ｂのいずれか一方を指で触れる等して接地し（図２においては面アンテナ１２ｂを接地）、他方の面アンテナ１２ａのみを用いて情報の送受信を行う技術が用いられている。これにより、リーダ／ライタ３０に接続されたアンテナ２０ａ，２０ｂに対するＩＣラベル１０の設置方向の制限が緩やかとなり、通信距離を延ばすことができる。
【００４４】
本形態においては、図１（ａ）に示すように、書籍６０が棚５０ａ，５０ｂに収納されている場合、リーダ／ライタ３０に接続されたアンテナ２０ａ，２０ｂと、書籍６０に貼付されたＩＣラベル１０に印刷形成された面アンテナ１２ａ，１２ｂとが互いに対向しないように配置されることになる。棚５０ａ，５０ｂに設けられたアンテナ２０ａ，２０ｂは、この状態において、書籍６０に貼付されたＩＣラベル１０に対する情報の読み取り及び書き込みを行うことができないような位置に配置されている。
【００４５】
以下に、上記のように構成された資料管理システムにおける資料管理方法について説明する。
【００４６】
図３は、図１に示した資料管理システムにおける資料管理方法の一例を説明するためのフローチャートである。
【００４７】
書籍６０を保管場所の棚５０ａから持ち出す場合（ステップＳ１）、所望の書籍６０を棚５０ａから取り出すために利用者が資料６０の背表紙に貼付されたＩＣラベル１０に印刷形成された面アンテナ１２ａ，１２ｂのうちいずれか一方の面アンテナに触れると（ステップＳ２）、利用者が触れた面アンテナが接地され、それにより、上述したような原理によってＩＣラベル１０とアンテナ２０ａ，２０ｂとの通信可能距離が延びる。ここで、棚５０ａに設けられたアンテナ２０ａ，２０ｂは、この状態において、書籍６０に貼付されたＩＣラベル１０に対する情報の読み取り及び書き込みを行うことができる位置に配置されている。それにより、利用者が触れたＩＣラベル１０に書き込まれた、書籍６０を識別可能な情報がアンテナ２０ａを介してリーダ／ライタ３０内の受信復調回路３２にて読み取られる（ステップＳ３）。なお、ＩＣラベル１０に書き込まれた情報は、利用者がＩＣラベル１０の面アンテナに触れることにより受信復調回路３２にて読み取られるが、その読み取りが、利用者が書籍６０を持ち出すあるいは返却する際のみに意識的にＩＣラベル１０の面アンテナに触れることにより行われるようにするために、面アンテナの面積を狭くしたり、面アンテナのうち利用者が触れることが可能な領域の面積を狭くしたりすることが好ましい。
【００４８】
ステップＳ３において読み取られた識別情報は、リーダ／ライタ３０内のＩ／Ｆ部３３を介して、書籍６０の在庫を管理しているホスト４０に送られ、ホスト４０内の管理部４１において、送られてきた識別情報によって識別される書籍６０が持ち出されたことが資料情報データベース４２に格納され、管理される（ステップＳ４）。
【００４９】
その後、利用者が持ち出した資料を返却する場合は（ステップＳ５）、利用者が、資料６０の背表紙に貼付されたＩＣラベル１０に印刷形成された面アンテナ１２ａ，１２ｂのうちいずれか一方の面アンテナに触れながら資料６０を棚５０ａに収納すると（ステップＳ６）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報が２０ａを介してリーダ／ライタ３０内の受信復調回路３２にて読み取られる（ステップＳ７）。
【００５０】
ステップＳ７において読み取られた識別情報は、Ｉ／Ｆ部３３を介して、書籍６０の在庫を管理しているホスト４０に送られる。ホスト４０においては、送られてきた識別情報によって識別される書籍６０が持ち出されている状態として資料情報データベース４２に格納されて管理されているため、識別情報が送られてくると、送られてきた識別情報によって識別される書籍６０が返却されたことが管理部４１において管理される（ステップＳ８）。
【００５１】
なお、上述した資料管理方法においては、書籍６０が棚５０ａから持ち出されたあるいは返却されたことを検出、管理するだけのものであるが、書籍６０が返却される際、書籍６０が所定の棚に返却されたかどうかを検出することもできる。
【００５２】
図４は、図１に示した資料管理システムにおける資料管理方法の他の例を説明するためのフローチャートである。なお、本例においては、棚５０ａ，５０ｂ毎に棚５０ａ，５０ｂを識別可能な棚ＩＤが付与されており、ＩＣラベル１０に書き込まれた情報が読み取られたアンテナ２０ａによって棚５０ａ，５０ｂが識別されるものとする。
【００５３】
書籍６０を保管場所の棚５０ａから持ち出す場合（ステップＳ１１）、所望の書籍６０を棚５０ａから取り出すために利用者が資料６０の背表紙に貼付されたＩＣラベル１０に印刷形成された面アンテナ１２ａ，１２ｂのうちいずれか一方の面アンテナに触れると（ステップＳ１２）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報がアンテナ２０ａを介してリーダ／ライタ３０内の受信復調回路３２にて読み取られる（ステップＳ１３）。なお、面アンテナの面積や面アンテナのうち利用者が触れることが可能な領域の面積は、上述したものと同様に狭くすることが好ましい。
【００５４】
また、ＩＣラベル１０に書き込まれた情報が読み取られたアンテナ２０ａによって棚ＩＤが検出される（ステップＳ１４）。
【００５５】
ステップＳ１３において読み取られた識別情報及びステップＳ１４にて検出された棚ＩＤは、Ｉ／Ｆ部３３を介して、書籍６０の在庫を管理しているホスト４０に送られ、ホスト４０内の管理部４１において、送られてきた識別情報によって識別される書籍６０が棚ＩＤによって識別される棚５０ａから持ち出されたことが資料情報データベース４２に格納され、管理される（ステップＳ１５）。
【００５６】
その後、利用者が持ち出した資料を返却する場合は（ステップＳ１６）、利用者が、資料６０の背表紙に貼付されたＩＣラベル１０に印刷形成された面アンテナ１２ａ，１２ｂのうちいずれか一方の面アンテナに触れながら資料６０を棚５０ａに収納すると（ステップＳ１７）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報がアンテナ２０ａを介してリーダ／ライタ３０内の受信復調回路３２にて読み取られる（ステップＳ１８）。
【００５７】
また、ＩＣラベル１０に書き込まれた情報が読み取られたアンテナ２０ａによって棚ＩＤが検出される（ステップＳ１９）。
【００５８】
ステップＳ１８において読み取られた識別情報及びステップＳ１９にて検出された棚ＩＤは、Ｉ／Ｆ部３３を介して、書籍６０の在庫を管理しているホスト４０に送られる。ホスト４０においては、送られてきた識別情報によって識別される書籍６０が持ち出されている状態として資料情報データベース４２に格納されて管理されているため、識別情報が送られてくると、送られてきた識別情報によって識別される書籍６０が棚ＩＤによって識別される棚５０ａに返却されたことが管理部４１において管理される（ステップＳ２０）。
【００５９】
これにより、書籍６０が持ち出される際の棚と書籍が返却された棚とが識別されるため、書籍６０が持ち出された棚に返却されているかどうかを検出することができる。
【００６０】
なお、上述した資料管理方法においては、書籍６０が棚５０ａから持ち出されたあるいは返却された際に、その書籍６０が持ち出されたあるいは返却されたかを検出、管理するだけのものであるが、書籍６０が棚５０ａから持ち出されたあるいは返却された際にその日時を書籍６０の背表紙に貼付されたＩＣラベル１０に書き込み、他の装置によって、書籍６０の持ち出し履歴を知ることもできる。
【００６１】
図５は、図１に示した資料管理システムにおける資料管理方法の他の例を説明するためのフローチャートである。
【００６２】
書籍６０を保管場所の棚５０ａから持ち出す場合（ステップＳ２１）、所望の書籍６０を棚５０ａから取り出すために利用者が資料６０の背表紙に貼付されたＩＣラベル１０に印刷形成された面アンテナ１２ａ，１２ｂのうちいずれか一方の面アンテナに触れると（ステップＳ２２）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報がアンテナ２０ａを介してリーダ／ライタ３０内の受信復調回路３２にて読み取られる（ステップＳ２３）。なお、面アンテナの面積や面アンテナのうち利用者が触れることが可能な領域の面積は、上述したものと同様に狭くすることが好ましい。
【００６３】
ステップＳ２３において読み取られた識別情報は、Ｉ／Ｆ部３３を介して、書籍６０の在庫を管理しているホスト４０に送られ、ホスト４０内の管理部４１において、送られてきた識別情報によって識別される書籍６０が持ち出されたことが資料情報データベース４２に格納され、管理される（ステップＳ２４）。
【００６４】
また、リーダ／ライタ３０内の発信変調回路３１において、書籍６０が持ち出された日時がアンテナ２０ｂを介してＩＣラベル１０に書き込まれる（ステップＳ２５）。
【００６５】
その後、利用者が持ち出した資料を返却する場合は（ステップＳ２６）、利用者が、資料６０の背表紙に貼付されたＩＣラベル１０に印刷形成された面アンテナ１２ａ，１２ｂのうちいずれか一方の面アンテナに触れながら資料６０を棚５０ａに収納すると（ステップＳ２７）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報がアンテナ２０ａを介してリーダ／ライタ３０内の受信復調回路３２にて読み取られる（ステップＳ２８）。
【００６６】
ステップＳ２８において読み取られた識別情報は、Ｉ／Ｆ部３３を介して、書籍６０の在庫を管理しているホスト４０に送られる。ホスト４０においては、送られてきた識別情報によって識別される書籍６０が持ち出されている状態として資料情報データベース４２に格納されて管理されているため、識別情報が送られてくると、送られてきた識別情報によって識別される書籍６０が返却されたことが管理部４１において管理される（ステップＳ２９）。
【００６７】
また、リーダ／ライタ３０内の発信変調回路３１において、書籍６０が返却された日時がアンテナ２０ｂを介してＩＣラベル１０に書き込まれる（ステップＳ３０）。
【００６８】
これにより、利用者は、書籍６０を持ち出した際に、ＩＣラベル１０に書き込まれた情報を読み取ることができる専用の装置を用いて、ＩＣラベル１０に書き込まれた情報を読み取れば、書籍６０の持ち出し履歴を知ることができる。
【００６９】
また、上述した資料管理方法において、書籍６０を持ち出した利用者を識別可能な情報を該書籍６０の背表紙に貼付されたＩＣラベル１０に書き込むことも考えられる。
【００７０】
図６は、図１に示した資料管理システムにおける資料管理方法の他の例を説明するためのフローチャートである。
【００７１】
書籍６０を保管場所の棚５０ａから持ち出す場合（ステップＳ３１）、利用者は、該利用者を識別可能な情報が書き込まれた記録媒体を該記録媒体に書き込まれた情報を読み取ることが可能な装置（不図示）によって読み取らせる（ステップＳ３２）。なお、この記録媒体においては、非接触型のＩＣカードや接触型のＩＣカードや磁気カード等、利用者を識別可能な情報の書き込み及び読み取りが可能なものであればその種類は問わない。
【００７２】
次に、所望の書籍６０を棚５０ａから取り出すために利用者が資料６０の背表紙に貼付されたＩＣラベル１０に印刷形成された面アンテナ１２ａ，１２ｂのうちいずれか一方の面アンテナに触れると（ステップＳ３３）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報がアンテナ２０ａを介してリーダ／ライタ３０内の受信復調回路３２にて読み取られる（ステップＳ３４）。なお、面アンテナの面積や面アンテナのうち利用者が触れることが可能な領域の面積は、上述したものと同様に狭くすることが好ましい。
【００７３】
ステップＳ３４において読み取られた識別情報は、Ｉ／Ｆ部３３を介して、書籍６０の在庫を管理しているホスト４０に送られ、ホスト４０内の管理部４１において、送られてきた識別情報によって識別される書籍６０が持ち出されたことが資料情報データベース４２に格納され、管理される（ステップＳ３５）。
【００７４】
また、リーダ／ライタ３０内の発信変調回路３１において、ステップＳ３２にて不図示の装置によって読み取られた、利用者を識別可能な情報がアンテナ２０ｂを介してＩＣラベル１０に書き込まれる（ステップＳ３６）。
【００７５】
その後、利用者が持ち出した資料を返却する場合は（ステップＳ３７）、利用者が、資料６０の背表紙に貼付されたＩＣラベル１０に印刷形成された面アンテナ１２ａ，１２ｂのうちいずれか一方の面アンテナに触れながら資料６０を棚５０ａに収納すると（ステップＳ３８）、利用者が触れた面アンテナが接地され、それにより、上述したような原理によってＩＣラベル１０とアンテナ２０ａ，２０ｂとの通信可能距離が延び、利用者が触れたＩＣラベル１０に書き込まれた、書籍６０を識別可能な情報がアンテナ２０ａを介してリーダ／ライタ３０内の受信復調回路３２にて読み取られる（ステップＳ３９）。
【００７６】
ステップＳ３９において読み取られた識別情報は、Ｉ／Ｆ部３３を介して、書籍６０の在庫を管理しているホスト４０に送られる。ホスト４０においては、送られてきた識別情報によって識別される書籍６０が持ち出されている状態として資料情報データベース４２に格納されて管理されているため、識別情報が送られてくると、送られてきた識別情報によって識別される書籍６０が返却されたことが管理部４１において管理される（ステップＳ４０）。
【００７７】
これにより、利用者は、書籍６０を持ち出した際に、ＩＣラベル１０に書き込まれた情報を読み取ることができる専用の装置を用いて、ＩＣラベル１０に書き込まれた情報を読み取れば、今まで書籍６０を持ち出した利用者の履歴を知ることができる。
【００７８】
なお、図３〜図６を用いて説明した資料管理方法においては、書籍６０が棚５０ａ，５０ｂに収納されている状態で、利用者が書籍６０の背表紙に貼付されたＩＣラベル１０の面アンテナに触れることにより、ＩＣラベル１０に書き込まれた情報が読み取られ、書籍６０の持ち出しあるいは返却が管理されているが、図書館等のように書籍６０の持ち出し及び返却を管理するカウンターが設けられている場合は、このカウンターにおいて、アンテナ２０ａ，２０ｂと同様の機能を有するものをカウンター内に設け、書籍６０が持ち出されるあるいは返却される際に、カウンターにいるオペレータが書籍６０の背表紙に貼付されたＩＣラベル１０の面アンテナに触れ、それにより、書籍６０の持ち出しあるいは返却を管理することも考えられる。また、アンテナ２０ａ，２０ｂと同様の機能を有するものにＩＣラベル１０を対向させて近接させることによって、ＩＣラベル１０に書き込まれた情報を読み取り、それにより、書籍６０の持ち出しあるいは返却を管理することも考えられる。
【００７９】
（他の実施の形態）
本発明においては、上述した実施の形態のように、書籍６０を保管場所から持ち出す際及び書籍６０を保管場所に返却する際にそれぞれその旨を管理するものに限らず、予め決められた日時あるいは期間毎に書籍６０の在庫管理を行うことも考えられる。
【００８０】
図７は、本発明の資料管理システムの他の実施の形態を示す図である。
【００８１】
図７に示すように本形態においては、図１に示したものに対して、棚５０ａ，５０ｂ毎に、書籍６０が並べられる方向に延びるレール７２ａ，７２ｂがそれぞれ設けられており、さらに、このレール７２ａ，７２ｂ上を移動可能に構成され、レール７２ａ，７２ｂ上を移動する際に一端が書籍６０の背表紙に貼付されたＩＣラベルに印刷形成された面アンテナ１２ａ，１２ｂ（図２参照）のうち一方の面アンテナと接触状態となってレール７２ａ，７２ｂ上を移動する導電性の検知針７１が接地された状態で設けられている。この検知針７１は、外部に設けられた制御装置７０の制御によってレール７２ａ，７２ｂ上を移動する。
【００８２】
上記のように構成された資料管理システムにおいては、予め決められた日時あるいは期間毎に、制御装置７０の制御によって、検知針７１がレール７２ａ，７２ｂ上を移動する。
【００８３】
検知針７１は、レール７２ａ，７２ｂ上を移動する際に、一端が書籍６０の背表紙に貼付されたＩＣラベルに印刷形成された面アンテナ１２ａ，１２ｂ（図２参照）のうち一方の面アンテナと接触した状態でレール７２ａ，７２ｂ上を移動する。そのため、検知針７１の先端は、筆状のものや、検知針７１の移動方向に書籍６０の背表紙に沿って湾曲する板状のもの等が考えられる。また、書籍６０の背表紙との距離に応じて伸縮自在のものであってもよい。
【００８４】
検知針７１は接地された状態であるため、検知針７１が書籍６０の背表紙に貼付されたＩＣラベルに印刷形成された面アンテナ１２ａ，１２ｂ（図２参照）のうち一方の面アンテナと接触すると、検知針７１が接触した面アンテナが接地され、それにより、上述したような原理によってＩＣラベル１０とアンテナ２０ａ，２０ｂとの通信可能距離が延び、検知針７１が接触したＩＣラベル１０に書き込まれた、書籍６０を識別可能な情報がアンテナ２０ａを介してリーダ／ライタ３０内の受信復調回路３２にて読み取られる。
【００８５】
識別可能な情報が読み取られた書籍６０は棚５０ａ，５０ｂに存在し、識別可能な情報が読み取られなかった書籍６０は棚５０ａ，５０ｂに存在せず持ち出されていると判断される。
【００８６】
これにより、棚５０ａ，５０ｂに収納される書籍６０の在庫管理を容易に行うことができる。
【００８７】
なお、上述した実施の形態においては、管理される資料として書籍６０を例に挙げて説明したが、本発明はこれに限らず、ＩＣラベル１０が貼付可能に構成され、かつ、ＩＣラベル１０が貼付された面が一面になるように保管場所に並べることが可能なものであれば適用することができる。
【００８８】
【発明の効果】
以上説明したようの本発明においては、２つの面アンテナを有し、この２つの面アンテナと近接するアンテナとの間にて静電誘導が生じることにより情報の読み取り及び書き込みが行われる静電結合方式の非接触型ＩＣラベルが、所定の保管場所に収納される資料のそれぞれに貼付されており、かつ、この資料が収納される棚等の保管場所には、資料が保管場所に収納された状態にて２つの面アンテナのうち一方の面アンテナが接地された場合のみに非接触型ＩＣラベルに対する情報の読み取り及び書き込みが可能となる位置に上記アンテナが設けられているため、資料を保管場所から持ち出すあるいは保管場所に収納する場合、非接触型ＩＣラベルに形成された２つの面アンテナのうち一方の面アンテナに指等で触れるだけで、非接触型ＩＣラベルに書き込まれた、資料を識別可能な情報が読み出されることになり、その資料が保管場所から持ち出されたあるいは保管場所に収納されたことが認識され、予め決められた保管場所に収納される資料の管理を手間をかけずに行うことができる。
【００８９】
また、非接触型ＩＣラベルに書き込まれた情報を読み取る際に情報が読み取られる資料が収納される保管場所を識別可能とすれば、資料が所定の保管場所に収納されているかどうかを認識することができる。
【００９０】
また、非接触型ＩＣラベルに書き込まれた情報が読み取られる際に、その日時あるいは、資料を保管場所から持ち出す利用者を識別可能な情報を非接触型ＩＣラベルに書き込む構成としたものにおいては、この非接触型ＩＣラベルに書き込まれた情報を読み取ることにより、その資料の持ち出し及び返却履歴を知ることができる。
【００９１】
また、保管場所に接地状態で設けられ、当該保管場所に収納される資料に貼付された非接触型ＩＣラベルに形成された２つの面アンテナのうち一方の面アンテナと順次接触しながら移動可能な導電性の検知手段を有する構成としたものにおいては、予め決められた日時あるいは期間毎に検知手段を用いて書籍の在庫管理を行うことができる。
【図面の簡単な説明】
【図１】本発明の資料管理システムの実施の実施の一形態を示す図であり、（ａ）は概念図、（ｂ）はブロック構成図である。
【図２】図１に示したＩＣラベルの動作原理を説明するための図であり、（ａ）は構造を示す図、（ｂ）は（ａ）に示した２つのアンテナを介して情報の読み取りあるいは書き込みが行われる場合の動作を示す図、（ｂ）は（ａ）に示した１つのアンテナのみを介して情報の読み取りあるいは書き込みが行われる場合の動作を示す図である。
【図３】図１に示した資料管理システムにおける資料管理方法の一例を説明するためのフローチャートである。
【図４】図１に示した資料管理システムにおける資料管理方法の他の例を説明するためのフローチャートである。
【図５】図１に示した資料管理システムにおける資料管理方法の他の例を説明するためのフローチャートである。
【図６】図１に示した資料管理システムにおける資料管理方法の他の例を説明するためのフローチャートである。
【図７】本発明の資料管理システムの他の実施の形態を示す図である。
【図８】従来の資料管理方法の一例を説明するためのフローチャートである。
【符号の説明】
１０    ＩＣラベル
１１    ＩＣチップ
１２ａ，１２ｂ    面アンテナ
１３    ベース材
２０ａ，２０ｂ    アンテナ
３０    リーダ／ライタ
３１    発信変調回路
３２    受信復調回路
３３    Ｉ／Ｆ部
４０    ホスト
４１    管理部
４２    資料情報データベース
５０ａ，５０ｂ    棚
６０    書籍
７０    制御装置
７１    検知針
７２ａ，７２ｂ    レール
【図１】
0004629907.tif 000002
【図２】
0004629907.tif 000003
【図３】
0004629907.tif 000004
【図４】
0004629907.tif 000005
【図５】
0004629907.tif 000006
【図６】
0004629907.tif 000007
【図７】
0004629907.tif 000008
【図８】
0004629907.tif 000009